(57)【要約】【課題】コインロッカーの錠装置において、解錠により硬貨を返却する無料サービスと超過料金を必要とする有料サービスとを人手を要せずに両立させる。【解決手段】投入された硬貨を、昇降レバー４、硬貨選択レバー６をとおし、回転阻止レバー７の位置で落下阻止板２１により硬貨の落下を防止する。回転阻止レバー７の下端の折曲片７ｂを急速反転レバー９の回動軌跡から外して、シリンダ錠８を施錠可能とする。施錠により落下阻止板２１を開いて硬貨を落下させ、硬貨排出規制片１１により硬貨払出口の直前で硬貨を保持する。タイマが所定時間を計時すると、アクチュエータ１５を駆動する。レバー１６、リンク１７、縦棹１８を介してシュート１９を傾動させ、硬貨払出口の直前のコインを回収する。追加の硬貨が投入されたことを硬貨計数センサ２３で検出すると、アクチュエータ１５の通電を遮断し、シリンダ錠８の解錠操作を可能とする。【選択図】図５
2005165380.tif 000002
【特許請求の範囲】
【請求項１】
錠装置の施解錠操作を不能にした待機状態から、硬貨の投入により施錠可能とするとともに投入された硬貨を装置内に保持する硬貨保持機構と、解錠操作により該硬貨保持機構に保持された硬貨を排出する硬貨排出機構とを有するコインロッカーの錠装置において、
前記硬貨保持機構から前記保持された硬貨を回収する回収機構と、外部からの通電の制御により該回収機構を回収状態と非回収状態とに駆動する駆動装置とを備えたことを特徴とするコインロッカーの錠装置。
【請求項２】
前記駆動装置により、前記回収機構と連動して該回収機構が回収状態のとき解錠操作を阻止するとともに、該回収機構が非回収状態のときに解錠操作の阻止を解除するロック機構を備えたことを特徴とする請求項１に記載のコインロッカーの錠装置。
【請求項３】
前記回収機構は硬貨保持機構の下部に配設され、前記投入された硬貨が載置されるシュートであり、該シュートが水平状態で非回収状態とし、前記駆動装置で該シュートを前記排出方向と反対側に傾動させて回収状態とすることを特徴とする請求項１または２に記載のコインロッカーの錠装置。
【請求項４】
前記硬貨の投入して施錠操作時から所定時間を計時するタイマと、前記駆動装置を制御する制御部とを備え、該制御部は、該タイマが所定時間を計時した時に前記駆動装置装置により前記回収機構を回収状態とすることを特徴とする請求項１、２または３に記載のコインロッカーの錠装置。
【請求項５】
前記硬貨の投入して施錠操作時から所定時間を計時するタイマと、前記駆動装置を制御する制御部とを備え、該制御部は、該タイマが所定時間を計時した時に前記駆動装置装置により前記回収機構を回収状態とするとともに前記ロック機構により解錠操作を阻止し、その後、所定の硬貨の投入により前記ロック機構による解錠操作の阻止を解錠するようにしたことを特徴とする請求項２に記載のコインロッカーの錠装置。
【発明の詳細な説明】
【技術分野】
【０００１】
本発明は、プールや大型浴場などのレジャー施設等で利用者が使用するロッカー装置に好適なコインロッカーの錠装置に関する。
【背景技術】
【０００２】
従来、上記のようなロッカー装置として、施設の営業開始時など、初期状態では錠装置の施解錠操作が不能になっており、硬貨を投入することにより錠装置が施解錠可能になり、その後はフリータイム（自由利用状態）となり、錠装置に対する任意の施解錠操作が可能となるものがある。また、解錠操作をすると投入した硬貨は返却され、利用者はロッカーを自由に利用することができる。これにより、レジャー施設等において荷物などを頻繁に出し入れするような場合に有効なロッカー装置が得られる。なお、このようなロッカー装置を可能にした錠装置として例えば特許第３１４５１８８号公報に開示されたものがある。
【０００３】
しかし、上記のようなロッカー装置では、利用者が自由にロッカーを使用できるようなサービスを提供できる反面、利用者が必要以上にロッカーを占有してしまうと管理者にとってロッカー装置の有効という点で問題がある。このため、例えば特開２０００−２９８７７０号公報に開示されているように、フリータイムを所定時間に制限し、この所定時間を経過した後は、超過料金の課金（硬貨投入）により解錠できるようにしたロッカー装置がある。
【特許文献１】特許第３１４５１８８号公報
【特許文献２】特開２０００−２９８７７０号公報
【発明の開示】
【発明が解決しようとする課題】
【０００４】
前記特開２０００−２９８７７０号公報の装置では、利用料金（硬貨）を投入して使用可能となるが、その硬貨は利用者には返却するようになっておらず、無料サービスとはならない。また、特許第３１４５１８８号公報の錠装置を用いたロッカー装置では、使用開始時の硬貨を返却するような無料サービスと、超過料金を課金するような有料サービスとの両方を実現するのは困難である。なお、後者のようなロッカー装置で、所定時間経過により解錠不能とし、例えば管理者に超過料金を支払って解錠するようなことも考えられるが、このような場合には人手を要するという問題がある。
【０００５】
このように、解錠により硬貨を返却する無料サービスと、解錠のために超過料金を必要とするような有料サービスとを、人手（管理者の手間）を要せずに両立させたロッカー装置はなく、本発明はこれを可能にすることを課題とする。
【課題を解決するための手段】
【０００６】
請求項１のコインロッカーの錠装置は、錠装置の施解錠操作を不能にした待機状態から、硬貨の投入により施錠可能とするとともに投入された硬貨を装置内に保持する硬貨保持機構と、解錠操作により該硬貨保持機構に保持された硬貨を排出する硬貨排出機構とを有するコインロッカーの錠装置において、前記硬貨保持機構から前記保持された硬貨を回収する回収機構と、外部からの通電の制御により該回収機構を回収状態と非回収状態とに駆動する駆動装置とを備えたことを特徴とする。
【０００７】
請求項２のコインロッカーの錠装置は、請求項１に記載のコインロッカーの錠装置であって、前記駆動装置により、前記回収機構と連動して該回収機構が回収状態のとき解錠操作を阻止するとともに、該回収機構が非回収状態のときに解錠操作の阻止を解除するロック機構を備えたことを特徴とする。
【０００８】
請求項３のコインロッカーの錠装置は、請求項１または２に記載のコインロッカーの錠装置であって、前記回収機構は硬貨保持機構の下部に配設され、前記投入された硬貨が載置されるシュートであり、該シュートが水平状態で非回収状態とし、前記駆動装置で該シュートを前記排出方向と反対側に傾動させて回収状態とすることを特徴とする。
【０００９】
請求項４のコインロッカーの錠装置は、請求項１、２または３に記載のコインロッカーの錠装置であって、前記硬貨の投入して施錠操作時から所定時間を計時するタイマと、前記駆動装置を制御する制御部とを備え、該制御部は、該タイマが所定時間を計時した時に前記駆動装置装置により前記回収機構を回収状態とすることを特徴とする。
【００１０】
請求項５のコインロッカーの錠装置は、請求項２に記載のコインロッカーの錠装置であって、前記硬貨の投入して施錠操作時から所定時間を計時するタイマと、前記駆動装置を制御する制御部とを備え、該制御部は、該タイマが所定時間を計時した時に前記駆動装置装置により前記回収機構を回収状態とするとともに前記ロック機構により解錠操作を阻止し、その後、所定の硬貨の投入により前記ロック機構による解錠操作の阻止を解錠するようにしたことを特徴とする。
【００１１】
請求項５のコインロッカーの錠装置によれば、請求項２と同様な作用効果が得られるとともに、所定時間経過により硬貨保持機構に保持された硬貨を回収することができ、さらに超過料金を回収する有料サービスを実現できる。
【発明の効果】
【００１２】
請求項１のコインロッカーの錠装置によれば、硬貨保持機構に保持された硬貨は解錠操作により排出されるので利用者に返却することができ、無料サービスを行うことができる。一方、所定時間の経過等の条件により駆動装置を駆動することができ、硬貨保持機構に保持された硬貨を回収して有料サービスとすることもできる。
【００１３】
請求項２のコインロッカーの錠装置によれば、請求項１と同様な効果が得られるとともに、有料サービスのときに、駆動装置によりロック機構による解錠操作の阻止または阻止解除を制御できるので、所定超過料金を回収するようにもできる。
【００１４】
請求項３のコインロッカーの錠装置によれば、請求項１または２と同様な効果が得られるとともに、回収機構がシュートで構成されているので、構造が簡単になる。
【００１５】
請求項４のコインロッカーの錠装置によれば、請求項１、２または３と同様な効果が得られるとともに、所定時間経過により硬貨保持機構に保持された硬貨を回収することができ、有料サービスを実現できる。
【００１６】
請求項５のコインロッカーの錠装置によれば、請求項２と同様な効果が得られるとともに、所定時間経過により硬貨保持機構に保持された硬貨を回収することができ、さらに超過料金を回収する有料サービスを実現できる。
【発明を実施するための最良の形態】
【００１７】
次に、本発明のコインロッカーの錠装置の実施形態を図面を参照して説明する。図１は本発明の実施の形態のコインロッカーの錠装置の待機状態の縦断面図、図２は図１のＡ−Ａ矢視断面図、図３は同錠装置の硬貨投入状態（施錠準備完了状態）の縦断面図、図４は図３のＡ−Ａ矢視断面図、図５は同錠装置の有料サービス開始時の縦断面図、図６は同錠装置の正面図である。なお、各図において要部以外は適宜図示を省略してある。
【００１８】
このコインロッカ錠装置は、機枠１の前面に組付られる前壁２に硬貨投入口２ａ、硬貨払出口２ｂ、表示用のＬＥＤ表示器２ｃが設けられ、機枠１の内側には側板１ａと平行な内枠３が設けられ、この内枠３と側板１ａとの間に硬貨通路Ａ（図２）が形成されている。内枠３には昇降レバー４が昇降可能に設けられ、この昇降レバー４はバネ４１により下方に付勢されている。昇降レバー４にはピン４ａとピン４ｂとが設けられ、ピン４ａは硬貨通路Ａに突出し、ピン４ｂには駆動レバー５が枢着される。この駆動レバー５の一端には硬貨通路Ａに突出するピン５ａが設けられ、この駆動レバー５の自由端側上部に摺動切欠５ｂが形成されている。駆動レバー５の近傍には、中間部をピン６１によって内枠３に枢着された硬貨選択レバー６が配設されており、駆動レバー５の摺動切欠５ｂの上方位置にピン６ａが取り付けられている。また、硬貨選択レバー６の昇降レバー４側には硬貨通路Ａに突出するピン６ｂが設けられる。また、硬貨選択レバー６の後端側には下方に湾曲したストップアーム６ｃが形成されている。
【００１９】
内枠３の中間部にはピン７１によって枢着された回転阻止レバー７が配設されており、この回転阻止レバー７はピン７１を同軸にした検銭ストッパ７Ａと硬貨検出プレート７Ｂとで構成されている。検銭ストッパ７Ａの上端には折曲されて折曲片７ａが形成され、硬貨検出プレート７Ｂの下端には折曲されて折曲片７ｂが形成されている。また、検銭ストッパ７Ａの下端には横に突出した突起部７ｄが形成されるとともに、硬貨検出プレート７Ｂには、この突起部７ｄに当接する折曲片７ｆが形成されている。そして、検銭ストッパ７Ａはバネ７２により時計方向に付勢されるとともに、硬貨検出プレート７Ｂはバネ７２によ反時計方向に付勢され、突起部７ｄが折曲片７ｆに当接することで、通常は検銭ストッパ７Ａと硬貨検出プレート７Ｂとは一体になって自重により反時計方向に付勢され、図１の状態にある。硬貨検出プレート７Ｂは、硬貨通路Ａに突出する係合ピン７ｃを有し、硬貨通路Ａを通過する硬貨は、後述する落下阻止板２１によって阻止され、係合ピン７ｃを押動する。そして、図３に示したように、投入された硬貨Ｃにより係合ピン７ｃを下方に押圧され、硬貨検出プレート７Ｂと検銭ストッパ７Ａ（すなわち回転阻止レバー７）は自重の付勢力に抗して時計方向に回動する。
【００２０】
以上の構成により、硬貨投入口２ａに硬貨Ｃを投入すると、硬貨Ｃが昇降レバー４の硬貨通路Ａに突出したピン４ａと駆動レバー５のピン５ａに当たり、昇降レバー４が上昇する。これにより、駆動レバー５が反時計方向に回動して、摺動切欠５ｂがピン６ａに当接して硬貨選択レバー６の片側を押し上げ、硬貨選択レバー６が時計方向に回動してピン６ｂが硬貨通路Ａ内を上昇して硬貨Ｃの通過を許容する。しかし、硬貨Ｃが規定径よりも小さい場合には、昇降レバー４のピン４ａと駆動レバー５のピン５ａとの間隔が小さくなる。このため、駆動レバー５の回動量が少なく、結果的に硬貨選択レバー６のピン６ｂの上昇量も小さくなり硬貨Ｃの通過を阻止する。また、規定径よりも大きい硬貨の投入を阻止する図示しない邪魔板が設けられている。これにより、規定径よりも大きい硬貨や小さい硬貨の通過を禁止する。また、硬貨Ｃが投入され、回転阻止レバー７が回動されると、その上端の折曲片７ｃが硬貨選択レバー６のストップアーム６ｃの直下に位置するようになり、硬貨選択レバー６の時計回りの回転が阻止される。これにより、硬貨の投入が阻止される。
【００２１】
機枠１及び内枠３の下部には、機枠１を貫通してシリンダ錠８が配設されている。このシリンダ錠８のロータには、急速反転レバー９の中央部が嵌着されており、この急速反転レバー９はシリンダ錠８に差し込んだキーＫと共に回動する。なお、急速反転レバー９は、バネ９１及びリンク９２により、その中間位置を境にしてその中間位置から離れる方向に付勢される。急速反転レバー９は下端に折曲片９ｂを有し、折曲片９ｂは、硬貨排出規制片１１の溝１１ａに挿入される。硬貨排出規制片１１は、中央部を機枠１に枢着され、溝１１ａの反対側に阻止片１１ｂが設けられている。
【００２２】
硬貨Ｃを投入する前は、回転阻止レバー７の下端の折曲片７ｂが急速反転レバー９の回動軌跡内に突出し、急速反転レバー９の回動を阻止しているため、施錠不能である。硬貨Ｃが投入されて落下阻止板２１に係止されたとき、硬貨Ｃがピン７ｃを押圧して回転阻止レバー７を時計方向に回動した状態に保持するため、折曲片７ｂが急速反転レバー９の回動軌跡より退避した状態に保たれ、施錠が可能になる。また、急速反転レバー９が施錠位置にあるとき硬貨排出規制片１１の阻止片１１ｂが硬貨通路Ａに突出し、硬貨払出口２ｂを塞ぐ。急速反転レバー９の上端の回動範囲にはマイクロスイッチ型の施解錠検出スイッチ２２が固着され、シリンダ錠８の施錠及び解錠と共に回動する急速反転レバー９の動きが施解錠検出スイッチ２２によるリンク９２の検出により検知されるようになっている。
【００２３】
シリンダ錠８には、キーＫの差込みによって後方に突出するロッド１２が設けられ、ロッド１２の端部にはピンによって回転板１３が設けられている。回転板１３の端部は図示しないピンによって内枠３に枢着されておりその自由端は、ロッド１２が後方に突出しているときは内枠３側のピンを支点として落下阻止板２１を押圧している。落下阻止板２１は、内枠３に設けられた枢着軸２１ａに一端を枢着され、ばね２１ｂにより枢着軸２１ａを支点として内枠３から遠ざかる方向に回動付勢され、回転板１３に押圧されているときには、内枠３に押し付けられて落下阻止板２１に設けられた係合ピン２１ｃの先端が硬貨通路Ａに突出し、硬貨Ｃの落下を阻止している。
【００２４】
施錠方向に回動したキーはシリンダ錠８より抜取可能となり、キーＫを抜き取ると、ロッド１２がシリンダ錠８方向に移動し、回転板１３は回動してその押圧部が落下阻止板２１より離れるので、落下阻止板２１が軸２１ａを支点として回動して内枠３より離れ、係合ピン２１ｃが硬貨通路Ａより退き、係合ピン２１ｃに阻止されていた硬貨Ｃが落下する。落下した硬貨Ｃは硬貨払出口２ｂの直前まで移動するが、硬貨排出規制片１１の阻止片１１ｂにより排出が阻止され、硬貨Ｃを錠装置内に保持した状態となる。
【００２５】
急速反転レバー９にはストップピン９ａが樹設さており、この急速反転レバー９の近傍には、ピン１４ａによって内枠３に枢着されるとともに反時計方向に付勢されたストッパ１４が配設されている。ストッパ１４は自由端部に凹部１４ｂが形成されるとともに、その上部に折曲片１４ｃが形成されている。このストッパ１４は、図４に一点鎖線で図示したように時計方向に回動すると、凹部１４ｂが急速反転レバー９のストップピン９ａに係合する。すなわち、この状態では、急速反転レバー９は回動が阻止され、キーＫによるシリンダ錠８の解錠操作が阻止される。
【００２６】
錠装置内後方にはソレノイド型のアクチュエータ１５が設けられ、ソレノイドの心棒１５ａの先端にレバー１６が取り付けられ、このレバー１６の上端は回転阻止レバー７のアーム７ｅの下部に位置している。また、このレバー１６の近傍には軸１７ａによって内枠３に枢着されたリンク１７が配設されており、このリンク１７のレバー１６側端部の係合凹部１７ｂが、レバー１６の凸部のピン１６ａと係合している。また、リンク１７の端部の凸部１７ｃは前記ストッパ１４の折曲片１４ｃの上部に位置している。さらにリンク１７の凸部１７ｃと軸１７ａとの間には、縦棹１８の上端が連結されている。この縦棹１８の下端は、錠装置の下部に配設されたシュート１９に連結されている。シュート１９は、硬貨Ｃが転がり可能な溝状の部材であり、硬貨払出口２ｂ側の端部がピン１９ａによって本体に枢着され、このピン１９ａを軸として他端が錠装置の下方に傾動可能となっている。さらに、錠装置の背面下部には投受光器型の硬貨計数センサ２３と、レバー２４が配設されており、シュート１９から排出されたコインがレバー２４を回動することにより、このレバー２４が硬貨計数センサ２３の投受光部を瞬時に遮り、これによりコインの排出（及び枚数）が検出される。
【００２７】
以上の構成により、アクチュエータ１５のコイルに通電がなされると、心棒１５ａとレバー１６が上昇し、レバー１６の上端が検銭ストッパ７Ａのアーム７ｅを押し上げ、検銭ストッパ７Ａの折曲片７ａが硬貨選択レバー６の回転を阻止している状態を回転可能な状態にし、コインの投入が可能となる。なお、このとき、図５に示したように硬貨検出プレート７Ｂはその折曲片７ｂが急速反転レバー９に当接して回転されないが、解錠操作で急速反転レバー９が回動されると折曲片７ｂが外れて、図１の状態になる。また、レバー１６の上昇により、リンク１７が反時計方向に回動し、その凸部１７ｃがストッパ１４の折曲片１４ｃを押し下げ、このストッパ１４の凹部１４ｂが急速反転レバー９のストップピン９ａに係合して、前記のようにシリンダ錠８における解錠操作が阻止される。さらに、リンク１７の回動により縦棹１８を介してシュート１９が傾動され、このシュート１９上の硬貨Ｃが錠装置下部に排出される。なお、この錠装置下部にはコインを収容するボックス等が設けられている。また、アクチュエータ１５への通電が遮断されると、レバー１６が下降し、リンク１７の凸部１７ｃが上昇し、ストッパ１４が図４において反時計方向に回動してその凹部１４ｂが急速反転レバー９のストップピン９ａから外れる。したがって、急速反転レバー９が回動可能となり、キーＫによるシリンダ錠８の解錠操作が可能となる。
【００２８】
以上のようにして各状態の変化は次のようになる。先ず、待機状態（使用可能状態）では、キーＫはシリンダ錠８に挿入された状態で、シリンダ錠８は解錠状態、かつ施錠操作不能の状態となっている。これによりキーＫはシリンダ錠８から抜き取り不能状態であり、かつ、ロッカー装置のドアは開閉自在となっている。硬貨を投入すると、さらなる硬貨の投入が阻止されるとともに、キーＫによるシリンダ錠８の施錠操作が可能となる。シリンダ錠８を施錠し、キーＫをシリンダ錠８から抜き取ると、硬貨Ｃが落下阻止板２１から落下して硬貨排出規制片１１により硬貨Ｃを錠装置内に保持した状態となる。これでロッカー装置の使用が開始されることとなるが、施解錠検出スイッチ２２で施錠が検出されたことにより後述のタイマが起動される。そして、タイマによる設定時間以内であれば、キーＫによりシリンダ錠８は解錠が可能であり、また、再度施錠することもできる。なお、解錠すると急速反転レバー９により硬貨排出規制片１１が解除されるので、使用開始時に投入した硬貨は硬貨払出口２ｂから返却される。
【００２９】
一方、施錠状態のままタイマが設定時間を計時してタイムアップすると、アクチュエータ１５に通電がなされて、シリンダ錠８における解錠操作が不能となるとともに、硬貨がシュート１９から回収され、さらに、硬貨の投入が可能となる。そこで、硬貨を投入すると、投入された硬貨は落下阻止板２１、シュート１９を通過して硬貨計数センサ２３でコインの投入が検出される。そして、所定枚数検出されるとアクチュエータ１５の通電が遮断され、シリンダ錠８の解錠操作が可能となる。
【００３０】
図７はコインロッカ錠装置の制御部のブロック図であり、制御部１０はマイコン等により構成されており、入力ポート側に施解錠検出スイッチ２２と硬貨計数センサ２３が接続されるとともに、出力ポート側にアクチュエータ１５とＬＥＤ表示器２ｃが接続されている。また、制御部１０は内部にタイマＴを備えている。そして、制御部１０は後述のフローチャートの制御プログラムに基づく制御を行い、施解錠検出スイッチ２２のＯＮ／ＯＦＦ、硬貨計数センサ２３の検出信号、タイマＴの計時結果に応じた制御を行い、アクチュエータ１５の通電／非通電の制御、ＬＥＤ表示器２ｃの点灯、消灯の制御を行う。
【００３１】
図８は制御部Ｅにおける制御プログラムのフローチャートであり、同フローチャートを参照しながら動作を説明する。先ず、初期設定としてアクチュエータ１５への非通電の確認（アクチュエータ復帰）の動作を行い（ステップＳ１）、施解錠検出スイッチ２２がＯＮとなるのを監視する（ステップＳ２）。この状態で、利用者が硬貨を投入すると前述のように各機構が動作して、施錠可能状態となる。すなわち、錠装置は待機状態となる。そして、施解錠検出スイッチ２２がＯＮとなったらタイマＴをスタートさせ（ステップＳ３）、施解錠検出スイッチ２２のＯＮ／ＯＦＦを判定し（ステップＳ４）、施解錠検出スイッチ２２がＯＦＦであればタイマＴをストップして（ステップＳ５）、ステップＳ２に戻る。
【００３２】
施解錠検出スイッチ２２がＯＮであれば、タイマＴが所定時間の計時を終了してタイムアップしたかを判定し（ステップＳ６）、タイムアップしていなければステップＳ４に戻る。ここで、この所定時間は、利用施設などに応じて適宜設定された時間（例えば３０分〜数時間）である。そして、使用開始（最初の施錠）から所定時間の間、ステップＳ４とステップＳ６が繰り返され、解錠操作がされなければ所定時間後にステップＳ７に進む。また、この所定時間の間は、解錠操作をすると、ステップＳ４で施解錠検出スイッチ２２のＯＦＦが検出され、ステップＳ５でタイマＴがストップ（一時停止）され、ステップＳ２に戻って、待機状態となる。すなわち、硬貨投入によって施錠が可能となる待機状態となる。
【００３３】
一方、施錠状態のまな所定時間が経過すると、アクチュエータ１５に通電して作動させ（ステップＳ７）、ＬＥＤ表示器２ｃを点灯し（ステップＳ８）、硬貨計数センサ２３により所定枚数の硬貨が検出されるのを監視する（ステップＳ９）。すなわち、所定時間が経過すると錠装置内に保持されていた硬貨がシュート１９から回収されるとともに、超過料金モードに入り、この超過料金モードであることがＬＥＤ表示器２ｃの点灯状態により表示される。そして、所定枚数の硬貨が検出されると、アクチュエータ１５への通電を遮断してアクチュエータ復帰とし（ステップＳ１０）、ＬＥＤ表示器２ｃを消灯してステップＳ２に戻る。これにより、解錠可能となる。
【００３４】
なお、超過料金モード時に投入すべき所定枚数は超過料金モードに入った時点からの経過時間に応じて課金し、その超過料金（あるいは硬貨枚数）をＬＣＤ表示器等を用いて表示し、その課金分の硬貨が所定枚数として投入されたときに、解錠可能（アクチュエータ復帰）とするようにしてもよい。
【００３５】
実施形態では、所定時間経過後のアクチュエータ１５の作動によりストッパ１４で急速反転レバー９を回動不能（解錠不能）にするようにしているが、ストッパ１４を設けずに、このアクチュエータ１５の作動によりシュート１９で硬貨を回収するだけ（有料）とし、解錠可能となるようにしてもよい。
【００３６】
また、実施形態では、超過料金を各個のコインロッカー錠装置に投入するようにしているが、例えば複数のロッカー装置と並べて設けた追加料金精算機等で精算するようにしてもよい。例えば、各コインロッカー錠装置（各ロッカー装置）に固有のキーにそのキーのＩＤコードを発信する機能を設けるとともに、追加料金精算機にそのキーのＩＤコードを読み取るキーリーダを設け、キーをキーリーダにかざすことでＩＤコードを読み取るようにする。そして、そのＩＤコードで特定されるコインロッカー錠装置で発生している超過料金を判断して表示し、その超過料金が投入されたらそのコインロッカー錠装置をアクチュエータ復帰の状態にするようにしてもよい。
【００３７】
なお、実施形態では、キーＫをシリンダ錠８に挿入した状態では投入された硬貨が落下阻止板２１を通過しないので、超過料金を投入するときにはキーＫをシリンダ錠８から引き抜いた状態で投入しなければならないが、これをさけるために、例えば図５に一点鎖線で示した位置に硬貨計数センサ２３′を設けるようにしてもよい。
【図面の簡単な説明】
【００３８】
【図１】本発明の実施の形態のコインロッカーの錠装置の待機状態の縦断面図である。
【図２】図１のＡ−Ａ矢視断面図である。
【図３】同錠装置の硬貨投入状態（施錠準備完了状態）の縦断面図である。
【図４】図３のＡ−Ａ矢視断面図である。
【図５】同錠装置の有料サービス開始時の縦断面図である。
【図６】同錠装置の正面図である。
【図７】実施の形態に係るブロック図である。
【図８】実施の形態に係るフローチャートである。
【符号の説明】
【００３９】
２  前壁
２ａ  硬貨投入口
２ｂ  硬貨払出口
６  硬貨選択レバー
７  回転阻止レバー
８  シリンダ錠
９  急速反転レバー
１１  硬貨排出規制片
１４  ストッパ
１５  アクチュエータ
１６  レバー
１７  リンク
１８  縦棹
１９  シュート
【図１】
2005165380.tif 000003
【図２】
2005165380.tif 000004
【図３】
2005165380.tif 000005
【図４】
2005165380.tif 000006
【図５】
2005165380.tif 000007
【図６】
2005165380.tif 000008
【図７】
2005165380.tif 000009
【図８】
2005165380.tif 000010